(57)【要約】【課題】  必要最低限の電圧を供給するように出力電圧を制御して、消費電力の低減を図り、省エネルギー効果を向上できる冷蔵庫を提供すること。【解決手段】  この発明の冷蔵庫は、マイクロコンピュータ８と、時間経過とともに動作電圧を変化させる第１と第２のファンモータ駆動ＩＣ４，５および保温ヒータ駆動ＩＣ６とを備える。そして、上記マイコン８により、上記３つの駆動ＩＣ４，５，６のそれぞれの動作電圧の内最大の電圧を選んで、この最大電圧を供給するように制御しているので、上記３つの駆動ＩＣ４，５，６に必要のない高い電圧を供給することがない。【選択図】  図１
2005134024.tif 000002
【特許請求の範囲】
【請求項１】
直流電源と、
動作電圧を変化させる複数の負荷と、
変圧器と、
この変圧器の一次巻線と上記直流電源とを接続する一次回路と、
この一次回路に設けられたスイッチング手段と、
上記変圧器の二次巻線と上記複数の負荷とを接続する二次回路と、
この二次回路に設けられた整流手段と、
上記複数の負荷のそれぞれの動作電圧の内、最大の電圧を選んで、この最大の電圧を上記二次回路に発生させるように、上記スイッチング手段の出力電圧を制御する制御手段と
を備えることを特徴とする冷蔵庫。
【請求項２】
請求項１に記載の冷蔵庫において、
上記制御手段は、上記スイッチング手段の出力電圧を段階的または無段階に制御することを特徴とする冷蔵庫。
【請求項３】
請求項１に記載の冷蔵庫において、
上記制御手段による上記スイッチング手段の制御を外部からの操作により開始する開始操作手段を備えたことを特徴とする冷蔵庫。
【請求項４】
請求項１に記載の冷蔵庫において、
冷蔵庫本体内部の温度を検出する内部温度検出センサを備え、
上記制御手段は、上記内部温度検出センサにより検出される温度が所定値に達した後に、上記スイッチング手段の制御を開始することを特徴とする冷蔵庫。
【請求項５】
請求項１に記載の冷蔵庫において、
上記制御手段は、
冷蔵庫扉の開閉動作の累積回数が所定数未満のときに、上記スイッチング手段の制御を行い、
上記冷蔵庫扉の開閉動作の累積回数が上記所定数以上になったときに、上記スイッチング手段の制御を解除することを特徴とする冷蔵庫。
【請求項６】
請求項１に記載の冷蔵庫において、
冷蔵庫本体外部の温度を検出する外部温度検出センサを備え、
上記制御手段は、
上記外部温度検出センサにより検出される温度が所定値未満のときに、上記スイッチング手段の制御を行い、
上記外部温度検出センサにより検出される温度が上記所定値以上のときに、上記スイッチング手段の制御を解除することを特徴とする冷蔵庫。
【請求項７】
請求項１に記載の冷蔵庫において、
冷蔵庫本体外部の照度を検出する照度検出センサを備え、
上記制御手段は、
上記照度検出センサにより検出される照度が所定値未満のときに、上記スイッチング手段の制御を行い、
上記照度検出センサにより検出される照度が上記所定値以上のときに、上記スイッチング手段の制御を解除することを特徴とする冷蔵庫。
【発明の詳細な説明】
【技術分野】
【０００１】
この発明は、例えば、複数の負荷を制御するためのスイッチング手段を備えた冷蔵庫に関する。
【背景技術】
【０００２】
近年、冷蔵庫の制御を行なうための直流回路負荷（特にファンモータ）としては、冷蔵庫内の食品の量あるいは冷却状態により細かな制御が必要とされ、特に省エネルギーや節電のため直流ファンモータを使用されることが多くなってきており、それと共に電源効率を上げ、省エネルギーを目的でスイッチング手段が搭載されるようになってきている。
【０００３】
従来の冷蔵庫では、ＤＣファンモータの起動時、このＤＣファンモータを駆動する駆動回路に印加されるスイッチング手段からの出力電圧を、低く保持した後に上昇させるように構成している（特開２０００−５０６８１号公報：特許文献１参照）。すなわち、上記ＤＣファンモータの起動時のみに、上記駆動回路に印加する電圧を低く保持し、上記駆動回路で消費される電力を低く抑えて、省エネルギーを図っている。
【０００４】
しかしながら、上記従来の冷蔵庫では、上記ＤＣファンモータが運転しているとき、上記駆動回路には一定の電圧が印加されるので、例えば、上記駆動回路が冷蔵庫内部の温度に応じて必要な電圧を下げた場合、上記駆動回路には必要以上の電圧が印加されることになって、無駄な電力が消費されていた。
【特許文献１】特開２０００−５０６８１号公報
【発明の開示】
【発明が解決しようとする課題】
【０００５】
そこで、この発明の課題は、必要最低限の電圧を供給するように出力電圧を制御して、消費電力の低減を図り、省エネルギー効果を向上できる冷蔵庫を提供することにある。
【課題を解決するための手段】
【０００６】
上記課題を解決するため、本発明の冷蔵庫は、
直流電源と、
動作電圧を変化させる複数の負荷と、
変圧器と、
この変圧器の一次巻線と上記直流電源とを接続する一次回路と、
この一次回路に設けられたスイッチング手段と、
上記変圧器の二次巻線と上記複数の負荷とを接続する二次回路と、
この二次回路に設けられた整流手段と、
上記複数の負荷のそれぞれの動作電圧の内、最大の電圧を選んで、この最大の電圧を上記二次回路に発生させるように、上記スイッチング手段の出力電圧を制御する制御手段と
を備えることを特徴としている。
【０００７】
ここで、この明細書では、上記負荷とは、例えば、圧縮機や直流ファンモータ等をいう。上記直流電源とは、商用の交流を直流に整流する整流手段を有する。
【０００８】
「動作電圧を変化させる」とは、例えば、動作の停止または強弱を行うことをいい、冷蔵庫本体内部の温度に応じて変化させたり、予め設定された時間で変化させたり、時間経過とともに変化させる。
【０００９】
上記負荷は、例えばマイコン等の制御手段にて、動作電圧を変化させるように制御されている。上記複数の負荷は、動作電圧を、個別にまたは同時に変化させる。
【００１０】
上記制御手段は、例えば、二次回路の電圧を検知して上記スイッチング手段にフィードバック信号を送って二次回路が所定の電圧になるようにコントロールする電圧検知フィードバック回路と、この電圧検知フィードバック回路を介して上記スイッチング手段の出力電圧を可変するマイコンとを有する。もちろん、マイコンにて直接に上記スイッチング手段の出力電圧を制御するようにしてもよい。
【００１１】
本発明の冷蔵庫によれば、上記制御手段は、上記複数の負荷のそれぞれの動作電圧の内、最大の電圧を選んで、この最大の電圧を上記二次回路に発生させるように、上記スイッチング手段の出力電圧を制御するので、例えば、上記複数の負荷が動作電圧を下げた場合、この下げた動作電圧の内最大の電圧を供給し、上記負荷に必要のない高い電圧を供給することがない。このように、上記負荷に必要最低限の電圧を供給するので、消費電力の低減を図り、省エネルギー効果を向上できる。
【００１２】
また、一実施形態の冷蔵庫では、上記制御手段は、上記スイッチング手段の出力電圧を段階的または無段階に制御する。
【００１３】
この一実施形態の冷蔵庫によれば、段階的に制御する場合、上記複数の負荷の動作電圧を統一して設定するので、制御し易い。一方、無段階に制御する場合、上記複数の負荷の動作電圧を統一する必要がなくて任意に設定可能であり、制御の自由度が大きくなる。
【００１４】
また、一実施形態の冷蔵庫では、上記制御手段による上記スイッチング手段の制御を外部からの操作により開始する開始操作手段を備える。
【００１５】
ここで、上記開始操作手段は、例えば操作パネルを有し、この操作パネルからの操作で「特定モード」が設定されることにより、上記制御手段の動作を開始する。
【００１６】
この「特定モード」とは、例えば、上記操作パネルに設けられた「節電、あるいは省エネルギーボタン」を押すことにより、冷蔵庫が、直流負荷の電流を抑える（例えば冷蔵庫内の直流ファンモータの駆動電圧を下げる）と共に全体の負荷電流を抑えた動作をさせて、急激な負荷の増加とならないコントロールを行い、かつ、上記スイッチング手段の出力電圧を負荷に応じて可変するモードに入る制御を行なうことをいう。
【００１７】
この一実施形態の冷蔵庫によれば、使用者が上記制御手段による制御の開始時期を選択できるので、冷蔵庫を頻繁に使用するときは、上記制御手段による制御を開始しないようにし、冷蔵庫をほとんど使用しないときは、上記制御手段による制御を開始するようにして、冷蔵庫の使用頻度に応じて冷蔵庫を適切な状態にできる。また、上記開始操作手段が、負荷電流を抑えた節電動作を兼ねている場合、消費電力を一層抑えた省エネルギーの効果がある。
【００１８】
また、一実施形態の冷蔵庫では、冷蔵庫本体内部の温度を検出する内部温度検出センサを備え、上記制御手段は、上記内部温度検出センサにより検出される温度が所定値に達した後に、上記スイッチング手段の制御を開始する。
【００１９】
この一実施形態の冷蔵庫によれば、上記内部温度検出センサにより検出される温度が所定値に達した後に、上記スイッチング手段の制御を開始するので、十分に冷却され安定した庫内温度（所定値）になるまでは、上記スイッチング手段の電圧を高い電圧に保ち、直流負荷の急激な容量増加による電源の電圧降下の不具合を防止することができる。要するに、上記所定値に達するまでは、上記負荷は最大負荷電圧（最大負荷電流）が必要であるので、上記スイッチング手段の出力電圧は一定の出力電圧である。
【００２０】
また、一実施形態の冷蔵庫では、上記制御手段は、冷蔵庫の電源投入後一定時間経過した後に、上記スイッチング手段の制御を開始する。
【００２１】
また、一実施形態の冷蔵庫では、上記制御手段は、冷蔵庫扉の開閉動作の累積回数が所定数未満のときに、上記スイッチング手段の制御を行い、上記冷蔵庫扉の開閉動作の累積回数が上記所定数以上になったときに、上記スイッチング手段の制御を解除する。
【００２２】
この一実施形態の冷蔵庫によれば、冷蔵庫が特定モード（例えば節電モード）に入って、上記スイッチング手段に出力可変モードの制御を行っている場合に、冷蔵庫扉の開閉動作の累積回数が所定数以上になったとき、明らかに冷蔵庫内部の温度が上昇することが予想され、同時に負荷電流の増大が予想されるため、出力可変モードを中止して、固定の出力電圧の制御を行うことで、直流電源としての安定な動作が可能になる。
【００２３】
また、一実施形態の冷蔵庫では、冷蔵庫本体外部の温度を検出する外部温度検出センサを備え、上記制御手段は、上記外部温度検出センサにより検出される温度が所定値未満のときに、上記スイッチング手段の制御を行い、上記外部温度検出センサにより検出される温度が上記所定値以上のときに、上記スイッチング手段の制御を解除する。
【００２４】
この一実施形態の冷蔵庫によれば、外気温が所定の温度未満では、上記スイッチング手段に出力可変モードの制御を行ない、外気温が所定の温度以上では、上記スイッチング手段に出力一定の制御を行う。したがって、外気温が所定の温度以上では、冷蔵庫の熱負荷の増大が予想され、同時に負荷電流の増大が予想されるため、出力可変モードを中止して、固定の出力電圧の制御を行うことにより、直流電源としての安定な動作が可能になる。
【００２５】
また、一実施形態の冷蔵庫では、冷蔵庫本体外部の照度を検出する照度検出センサを備え、上記制御手段は、上記照度検出センサにより検出される照度が所定値未満のときに、上記スイッチング手段の制御を行い、上記照度検出センサにより検出される照度が上記所定値以上のときに、上記スイッチング手段の制御を解除する。
【００２６】
この一実施形態の冷蔵庫によれば、外部の照度が所定値未満では、夜と判定して、上記スイッチング手段に出力可変モードの制御を行ない、外部の照度が所定値以上では、昼と判定して、上記スイッチング手段に出力一定の制御を行う。したがって、外部の照度が所定値以上では、冷蔵庫の熱負荷の増大が予想され、同時に負荷電流の増大が予想されるため、出力可変モードを中止して、固定の出力電圧の制御を行うことにより、直流電源としての安定な動作が可能になる。
【発明の効果】
【００２７】
この発明の冷蔵庫によれば、上記制御手段は、上記複数の負荷のそれぞれの動作電圧の内、最大の電圧を選んで、この最大の電圧を上記二次回路に発生させるように、上記スイッチング手段の出力電圧を制御するので、上記負荷に必要最低限の電圧を供給するので、消費電力の低減を図り、省エネルギー効果を向上できる。
【発明を実施するための最良の形態】
【００２８】
以下、この発明を図示の実施の形態により詳細に説明する。
【００２９】
（第１の実施形態）
図１は、本発明の冷蔵庫の一実施形態である回路ブロック図を示している。この冷蔵庫は、直流電源と、複数の負荷と、変圧器２と、この変圧器２の一次巻線と上記直流電源とを接続する一次回路３１と、この一次回路３１に設けられたスイッチング手段と、上記変圧器２の二次巻線と上記複数の負荷とを接続する二次回路３２と、この二次回路３２に設けられた整流手段と、上記スイッチング手段の出力電圧を制御する制御手段とを備える。
【００３０】
具体的に述べると、この冷蔵庫は、商用交流電源から入力される交流電圧を、一次側の整流ダイオード２４で整流し一次側の平滑コンデンサ２３で平滑にしてから、スイッチングＩＣ１を介して、変圧器２の一次巻線に供給し、この変圧器２の二次巻線に誘起される二次電圧を、二次側の整流ダイオード２６で整流し二次側の平滑コンデンサ２７で平滑にしてから、上記負荷に供給するように構成されている。
【００３１】
すなわち、上記直流電源は、上記一次側の整流ダイオード２４と上記一次側の平滑コンデンサ２３とを有し、上記スイッチング手段は、上記スイッチングＩＣ１を有し、上記整流手段は、上記二次側の整流ダイオード２６を有する。
【００３２】
上記二次回路３２には、電圧検知フィードバック３が設けられ、この電圧検知フィードバック３は、上記二次回路３２の直流電圧を検知して、上記スイッチングＩＣ１へフイードバック信号９を送り、上記二次回路３２が一定の電圧になるようコントロールしている。
【００３３】
上記負荷は、例えば、直流ファンモータを駆動するファンモータ駆動ＩＣ４，５や、各保温ヒータを駆動するＳＳＲの保温ヒータ駆動ＩＣ６や，冷蔵庫の操作パネルの表示回路部７や、冷蔵庫の本体回路部１１である。
【００３４】
この本体回路部１１内には、マイクロコンピュータ（以下マイコンと称する）８が配置され、このマイコン８は、上記負荷の運転等の、冷蔵庫の性能関連全体を制御している。
【００３５】
このマイコン８は、冷蔵庫の運転状況に応じて、上記電圧検知フィードバック３へ、出力電圧の指令信号１０を送って、上記電圧検知フィードバック３を介して、所望の電圧を上記二次回路３２に発生させるように、上記スイッチングＩＣ１の出力電圧を制御する。すなわち、上記マイコン８および上記電圧検知フィードバック３等にて上記制御手段を構成する。
【００３６】
上記電圧検知フィードバック３は、図２の回路図に示すように、二つの抵抗１２，１３等から構成される第１の電圧設定回路５１と、トランジスタ１５および抵抗１６等から構成される第２の電圧設定回路５２と、トランジスタ１７および抵抗１８等から構成される第３の電圧設定回路５３とを有する。
【００３７】
上記第１の電圧設定回路５１、上記第２の電圧設定回路５２および上記第３の電圧設定回路５３にて、上記スイッチングＩＣ１の出力電圧を多段（３段階）に制御する。
【００３８】
具体的に述べると、上記第２の電圧設定回路５２のトランジスタ１５は、上記マイコン８と電気的に接続され、上記マイコン８からの信号１０ａにより、ＯＮ−ＯＦＦ切り替え自在になる。同様に、上記第３の電圧設定回路５３のトランジスタ１７は、上記マイコン８と電気的に接続され、上記マイコン８からの信号１０ｂにより、ＯＮ−ＯＦＦ切り替え自在になる。
【００３９】
そして、上記第１の電圧設定回路５１によって設定される第１の基準電圧信号によりシャントレギュレータ１４の第１の基準電圧が設定され、この電圧になるように上記スイッチングＩＣ１がコントロールされる。同様に、上記第２の電圧設定回路５２によって設定される第２の基準電圧信号により第２の基準電圧が設定され、上記第３の電圧設定回路５３によって設定される第３の基準電圧信号により第３の基準電圧が設定される。要するに、上記マイコン８からの信号１０ａ，１０ｂにより、上記スイッチングＩＣ１の出力電圧を３種類の電圧に設定変更できる。
【００４０】
上記複数の負荷は、上記マイコン８にて、時間経過とともに動作電圧を変化させるように制御されている。具体的に述べると、上記マイコン８は、冷蔵庫本体内部の温度に応じて、または、予め設定された時間で、上記負荷の動作の停止または強弱を行う。
【００４１】
そして、上記マイコン８は、上記電圧検知フィードバック３を介して、上記複数の負荷のそれぞれの動作電圧の内、最大の電圧を選んで、この最大の電圧を上記二次回路３２に発生させるように、上記スイッチングＩＣ１の出力電圧を制御する。
【００４２】
図３のタイムチャートに従って具体的に説明する。図３は、上記複数の負荷の動作電圧、および、上記スイッチングＩＣ１の出力電圧のタイムチャートを示す。ここで、上記複数の負荷として、上記第１と第２のファンモータ駆動ＩＣおよび上記保温ヒータ駆動ＩＣを用いる。
【００４３】
図３に示すように、上記第１のファンモータ駆動ＩＣは、時間経過とともに、動作電圧（モータ電圧）を、Ｖ３→Ｖ２→Ｖ１→０→Ｖ１→Ｖ３の順序で変化している。上記第２のファンモータ駆動ＩＣは、時間経過とともに、動作電圧を、Ｖ１→Ｖ２→Ｖ３→０→Ｖ３の順序で変化している。上記保温ヒータ駆動ＩＣは、時間経過とともに、動作電圧を、Ｖ１→０→Ｖ１の順序で変化している。
【００４４】
これらの各負荷の動作電圧の変化に対して、上記スイッチングＩＣの出力電圧は、図３中のａ区間では、上記３つの負荷に必要な電圧の中で最大電圧Ｖ３を供給する。続いて、ｂ区間ではＶ３、ｃ区間ではＶ２、ｄ区間ではＶ３、ｅ区間ではＶ３、ｆ〜ｉ区間ではＶ１、ｊ区間以降ではＶ３を供給する。なお、ｈ区間では、全ての負荷は動いていないため０Ｖであるが、上記マイコン８を動作させる電源が必要なため、最低電圧のＶ１の電圧が供給される。
【００４５】
これらの出力電圧の信号は、前述したように、上記マイコン８からの信号（図１では信号１０、図２では信号１０ａ，１０ｂ）により制御されている。
【００４６】
このように冷蔵庫のDC制御用のスイッチング電源のシステム全体の出力電圧を、複数のＤＣ負荷に必要な電圧の中で、最大限の電圧に制御するので、例えば、上記複数の負荷が動作電圧を下げた場合、この下げた動作電圧の内最大の電圧を供給し、上記負荷に必要のない高い電圧を供給することがない。このように、上記負荷に必要最低限の電圧を供給するので、消費電力の低減を図り、省エネルギー効果を向上できる。
【００４７】
（第２の実施形態）
次に、図４に、本発明の冷蔵庫の他の実施形態を示し、この冷蔵庫の電圧検知フィードバック３は、上記マイコン８と電気的に接続されるオペアンプ２１を有する。なお、その他の構造は、上記第１の実施形態と同じであるので、その説明を省略する。
【００４８】
上記マイコン８からはＤ／Ａ変換された電圧が出力され、上記オペアンプ２１に入力される。上記オペアンプ２１は、上記マイコン８の出力電圧を増幅し、基準電圧信号を作り、シャントレギュレータに入力される。このシャントレギュレータによって発生した基準電圧により、上記スイッチングＩＣ１がコントロールされる。
【００４９】
このように、上記マイコン８は、上記スイッチングＩＣ１の出力電圧を無段階に制御するので、上記複数の負荷の動作電圧を統一する必要がなくて任意に設定可能であり、制御の自由度が大きくなる。
【００５０】
（第３の実施形態）
次に、本発明の冷蔵庫の別の実施形態では、図示しないが、上記制御手段による上記スイッチング手段の制御を外部からの操作により開始する開始操作手段を備える。なお、その他の構造は、上記第１の実施形態と同じであるので、その説明を省略する。
【００５１】
具体的に述べると、上記開始操作手段は、冷蔵庫の表側に設けた操作パネルを有し、この操作パネル上の「節電モード」の特定モードに入る設定をすることにより、冷蔵庫は、各ファンモータの回転数を最小にするような運転、あるいは、上記操作パネルの各表示機能をＯＦＦさせる運転を行なう。これと同時に、上記スイッチングＩＣ１の出力電圧を上記複数の負荷に応じて可変するモードに入る制御を行う。
【００５２】
このように、使用者が上記制御手段による制御の開始時期を選択できるので、冷蔵庫を頻繁に使用するときは、上記制御手段による制御を開始しないようにし、冷蔵庫をほとんど使用しないときは、上記制御手段による制御を開始するようにして、冷蔵庫の使用頻度に応じて冷蔵庫を適切な状態にできる。また、上記開始操作手段が、負荷電流を抑えた節電動作を兼ねている場合、消費電力を一層抑えた省エネルギーの効果がある。
【００５３】
（第４の実施形態）
次に、本発明の冷蔵庫のさらに他の実施形態では、冷蔵庫本体内部の温度を検出する内部温度検出センサを備え、上記制御手段は、上記内部温度検出センサにより検出される温度が所定値に達した後に、上記スイッチング手段の制御を開始する。なお、その他の構造は、上記第１の実施形態と同じであるので、その説明を省略する。
【００５４】
具体的に述べると、上記内部温度検出センサは、冷凍室内の温度を検出するサーミスタであり、上記負荷は、圧縮機や直流ファンモータである。そして、図５に示すように、冷凍室の温度が、予め設定された所定値Ｔ１に達するまでは、上記スイッチングＩＣの出力電圧は一定（図３のＶ３電圧）であるが、この所定値Ｔ１以降は、上記スイッチングＩＣの出力電圧を、上記複数の負荷に応じて可変するモードに入る（図３のＶ１，Ｖ２，Ｖ３電圧）制御を行う。なお、上記所定値Ｔ１は、−１８℃より低く、冷凍室が十分に冷却される温度をいう。
【００５５】
これにより、上記内部温度検出センサにより検出される温度が上記所定値Ｔ１に達した後に、上記スイッチングＩＣの制御を開始するので、十分に冷却され安定した庫内温度（所定値Ｔ１）になるまでは、上記スイッチングＩＣの電圧を高い電圧に保ち、直流負荷の急激な容量増加による電源の電圧降下の不具合を防止することができる。
【００５６】
なお、上記内部温度検出センサの代わりに、冷蔵庫の電源投入後一定時間ｔ１経過した後に、上記スイッチングＩＣの制御を開始するようにしてもよい。なお、この一定時間ｔ１は、冷凍室が十分に冷却される時間をいう。
【００５７】
（第５の実施形態）
次に、本発明の冷蔵庫のさらに別の実施形態では、上記制御手段は、冷蔵庫扉の開閉動作の累積回数が所定数未満のときに、上記スイッチング手段の制御を行い、上記冷蔵庫扉の開閉動作の累積回数が上記所定数以上になったときに、上記スイッチング手段の制御を解除する。なお、その他の構造は、上記第１の実施形態と同じであるので、その説明を省略する。
【００５８】
図６のタイムチャートに従って具体的に説明する。図６は、冷蔵庫扉の開閉状態、この扉の開閉に伴って変化する冷凍室内の温度、および、この扉の開閉の累積回数に応じて上記スイチングＩＣの出力電圧の制御を変える状態を示したタイムチャートである。
【００５９】
図６に示すように、冷蔵庫は上記特定モード（例えば、節電モード）に入って、上記スイッチングＩＣの出力電圧において可変モードの制御を行っている。このとき、使用者によって冷蔵庫の扉の開閉が行われ、扉の開閉の累積回数が、所定の回数未満の場合、上記スイッチングＩＣにおいてそのまま出力可変モードの制御を続ける一方、扉の開閉の累積回数が、所定の回数以上の場合、所定の回数を越えた時間ｔ１から、出力可変モードを中止して、固定（一定）の出力電圧の制御を行う。なお、上記所定回数は、冷凍室の温度が一定値を越えて上昇する回数をいう。
【００６０】
このように、冷蔵庫扉の開閉動作の累積回数が所定数以上になったとき、冷蔵庫内部の温度が上昇して負荷電流が増大することを予想して、出力可変モードを中止して、固定の出力電圧の制御を行うので、直流電源としての安定な動作が可能になる。
【００６１】
（第６の実施形態）
次に、本発明の冷蔵庫のさらに他の実施形態では、冷蔵庫本体外部の温度を検出する外部温度検出センサを備え、上記制御手段は、上記外部温度検出センサにより検出される温度が所定値未満のときに、上記スイッチング手段の制御を行い、上記外部温度検出センサにより検出される温度が上記所定値以上のときに、上記スイッチング手段の制御を解除する。なお、その他の構造は、上記第１の実施形態と同じであるので、その説明を省略する。
【００６２】
具体的に述べると、図１に示すように、上記外部温度検出センサは、冷蔵庫の周囲温度を検知する外気温サーミスタ２２であり、この外気温サーミスタ２２の信号を上記マイコン８に入力することにより、外気温に応じて上記スイッチングＩＣ１の出力電圧を制御する。
【００６３】
図３は、外気温、および、上記スイッチングＩＣの出力電圧のタイムチャートを示し、外気温２５℃未満（時間ｔ１以前および時間ｔ２以降）では、上記スイッチングＩＣにおいて出力可変モードの制御を行ない、外気温２５℃以上（時間ｔ１と時間ｔ２との間）では、上記スイッチングＩＣにおいて出力一定の制御を行う。
【００６４】
このように、外気温が所定の温度以上になったとき、冷蔵庫の熱負荷が増大がして負荷電流が増大することを予想して、出力可変モードを中止して、固定の出力電圧の制御を行うので、直流電源としての安定な動作が可能になる。
【００６５】
（第７の実施形態）
次に、本発明の冷蔵庫のさらに他の実施形態では、冷蔵庫本体外部の照度を検出する照度検出センサを備え、上記制御手段は、上記照度検出センサにより検出される照度が所定値未満のときに、上記スイッチング手段の制御を行い、上記照度検出センサにより検出される照度が上記所定値以上のときに、上記スイッチング手段の制御を解除する。なお、その他の構造は、上記第１の実施形態と同じであるので、その説明を省略する。
【００６６】
具体的に述べると、図８の、照度、および、上記スイッチングＩＣの出力電圧のタイムチャートに示すように、上記照度検出センサにより検出される照度が所定値Ｌ１未満（時間ｔ１以前および時間ｔ２以降）では、上記スイッチングＩＣにおいて出力可変モードの制御を行ない、上記照度が所定値Ｌ１以上（時間ｔ１と時間ｔ２との間）では、上記スイッチングＩＣにおいて出力一定の制御を行う。なお、上記所定値Ｌ１以下は、夜と判定する値である。
【００６７】
このように、外部の照度が所定値以上になったとき、冷蔵庫の熱負荷が増大がして負荷電流が増大することを予想して、出力可変モードを中止して、固定の出力電圧の制御を行うので、直流電源としての安定な動作が可能になる。
【図面の簡単な説明】
【００６８】
【図１】本発明の冷蔵庫の第１実施形態を示す回路ブロック図である。
【図２】電圧検知フィードバックの回路図である。
【図３】第１のファンモータ駆動ＩＣの動作電圧と、第２のファンモータ駆動ＩＣの動作電圧と、保温ヒータ駆動ＩＣの動作電圧と、スイッチングＩＣの出力電圧との関係を示すタイミングチャートである。
【図４】他の電圧検知フィードバックの回路図である。
【図５】冷凍室温度と、スイッチングＩＣの出力電圧との関係を示すタイミングチャートである。
【図６】扉の開閉状態と、冷凍室温度と、スイッチングＩＣの出力電圧との関係を示すタイミングチャートである。
【図７】外気温度と、スイッチングＩＣの出力電圧との関係を示すタイミングチャートである。
【図８】照度と、スイッチングＩＣの出力電圧との関係を示すタイミングチャートである。
【符号の説明】
【００６９】
１    スイッチングＩＣ
２    変圧器
３    電圧検知フィードバック
４    第１のファンモータ駆動ＩＣ
５    第２のファンモータ駆動ＩＣ
６    保温ヒータ駆動ＩＣ
７    表示回路部
８    マイクロコンピュータ
１１  本体回路部
２４  整流ダイオード
２６  整流ダイオード
３１  一次回路
３２  二次回路
【図１】
2005134024.tif 000003
【図２】
2005134024.tif 000004
【図３】
2005134024.tif 000005
【図４】
2005134024.tif 000006
【図５】
2005134024.tif 000007
【図６】
2005134024.tif 000008
【図７】
2005134024.tif 000009
【図８】
2005134024.tif 000010